(57)【特許請求の範囲】
【請求項１】
面積が同一であって配置された形状の異なる第１および第２画素が行方向および列方向に交互に配列された表示面を有する平面表示装置と、
前記平面表示装置の前記表示面の前面に配置され、前記平面表示装置からの光線の方向を制御する光線制御子と、
入力された映像信号から立体像表示用映像または２次元像表示用映像を生成する映像生成部と、
前記映像生成部によって生成された映像を表示する、隣接する前記第１および第２画素の輝度を変化させ、変化前後における前記第１および第２画素の平均輝度が同じとなるように制御する輝度制御部と、
を備えている立体映像表示装置。
【請求項２】
前記第１および第２画素の輝度の変化量は、前記第１および第２画素の表示面における位置および前記入力された映像信号の、前記第１および第２画素の輝度の階調によって設定される請求項１記載の立体映像表示装置。
【請求項３】
前記輝度制御部は、前記入力信号の輝度が中間となる階調付近で、前記第１および第２画素の輝度の差が最大となるように制御する請求項１記載の立体映像表示装置。
【請求項４】
前記輝度制御部は、前記入力信号の輝度が最大となる階調付近で、前記第１および第２画素の輝度の差が最大となるように制御する請求項１記載の立体映像表示装置。
【請求項５】
前記輝度制御部は、前記映像生成部によって生成された映像が立体映像表示用映像であるときに、前記第１および第２画素の輝度を変化させるように制御する請求項１記載の立体映像表示装置。
【請求項６】
前記第１および第２画素はそれぞれ赤、緑、青のサブ画素を有し、各サブ画素は行方向の長さが列方向の長さよりも小さい形状を有するとともに列方向の上下に面積が同じ第１および第２部分に分割され、各サブ画素の上方の第１部分は左下方または右上方に切り欠きを有し、下方の第２部分は右上方または左上方に切り欠きを有し、同じサブ画素の第１および第２部分は行方向における切り欠きの位置が異なり、前記第１画素のサブ画素の切り欠きの位置と、前記第１画素のサブ画素と同じ色の前記第２画素のサブ画素の切り欠きの位置が逆になっている請求項１記載の立体映像表示装置。
【請求項７】
前記光線制御子は、複数のレンズであって、各レンズは稜線が第１方向に伸張するとともに前記第１方向に直交する第２方向に並んで配置された複数のレンズを有するレンチキュラーシートであって、各レンズは、前記第１方向が前記表示面の列方向に対して傾いている請求項１記載の立体映像表示装置。
【請求項８】
前記光線制御子は、複数のレンズであって、各レンズは稜線が第１方向に伸張するとともに前記第１方向に直交する第２方向に並んで配置された複数のレンズを有するレンチキュラーシートであって、各レンズは、前記第１方向が前記表示面の列方向に対して平行に配置される請求項１記載の立体映像表示装置。
【請求項９】
面積が同一であって配置された形状の異なる第１および第２画素が行方向および列方向に交互に配列された表示面を有する平面表示装置と、前記平面表示装置の前記表示面の前面に配置され、前記平面表示装置からの光線の方向を制御する光線制御子と、を有する立体映像表示装置を用いて立体映像を表示する立体映像表示方法において、
入力された映像信号から立体像表示用映像または２次元像表示用映像を生成するステップと、
前記生成された映像を表示する、隣接する前記第１および第２画素の輝度を変化させ、変化前後における前記第１および第２画素の平均輝度が同じとなるように制御するステップと、
を備えている立体映像表示方法。
【発明の詳細な説明】
【技術分野】
【０００１】
本発明の実施形態は、立体映像表示装置および立体映像表示方法に関する。
【背景技術】
【０００２】
裸眼方式の立体映像表示装置が開発されている。この裸眼方式の立体映像表示装置は、画素がマトリクス状に配列された画面を有する平面表示部と、この平面表示部の画面の前面に設けられ、画素からの光線を屈折させることが可能なレンチキュラーシートとを備えている。レンチキュラーシートは複数のシリンドリカルレンズがその長手方向と直交する方向に並列に配置された構成を有している。
【０００３】
この裸眼方式の立体映像表示装置においては、画像の劣化、特にモアレによる画像の劣化を防止するために、レンチキュラーシートを平面表示装置の画面の縦方向に対して傾けて配置することが行われている。
【０００４】
また、上記裸眼方式の立体映像表示装置において、第１視点用の画像を表示する第１画素および第２視点用の画像を表示する第２画素を含む表示素子が複数配列され、第１および第２画素のそれぞれの、外光を反射する反射表示領域を、画像振り分け方向と垂直な軸に対して非対称に配置することにより、画像むらを抑制する技術が知られている。
【０００５】
しかし、レンチキュラーシートを用いた裸眼方式の立体映像表示装置においては、表示品質の劣化、特に色むらの影響を低減することのできる技術は知られていない。
【先行技術文献】
【特許文献】
【０００６】
【特許文献１】特開２００９−１５７１１６号公報
【発明の概要】
【発明が解決しようとする課題】
【０００７】
本実施形態は、色むらの影響を低減することのできる裸眼方式の立体映像表示装置および表示方法を提供する。
【課題を解決するための手段】
【０００８】
本実施形態による立体映像表示装置は、面積が同一であって配置された形状の異なる第１および第２画素が行方向および列方向に交互に配列された表示面を有する平面表示装置と、前記平面表示装置の前記表示面の前面に配置され、前記平面表示装置からの光線の方向を制御する光線制御子と、入力された映像信号から立体像表示用映像または２次元像表示用映像を生成する映像生成部と、前記映像生成部によって生成された映像を表示する、隣接する前記第１および第２画素の輝度を変化させ、変化前後における前記第１および第２画素の平均輝度が同じとなるように制御する輝度制御部と、を備えている。
【図面の簡単な説明】
【０００９】
【図１】第１実施形態による立体映像表示装置を示す図。
【図２】図２（ａ）、２（ｂ）は、第１実施形態に係る光線制御子の例を示す図。
【図３】第１実施形態による立体映像表示装置を示す図。
【図４】図４（ａ）、４（ｂ）は、面積が同じで形状が異なる画素の第１具体例を示す図。
【図５】図５（ａ）、５（ｂ）は、面積が同じで形状が異なる画素の第２具体例を示す図。
【図６】変化後の第１および第２画素の輝度差の分布の一例を示す図。
【図７】変化後の第１および第２画素の輝度差の分布の他の例を示す図。
【図８】図８（ａ）、８（ｂ）は、第２実施形態の立体映像表示装置に用いられる光線制御子の例を示す図。
【発明を実施するための形態】
【００１０】
以下に、図面を参照して実施形態を説明する。
【００１１】
（第１実施形態）
第１実施形態による立体映像表示装置を、図面を参照して説明する。まず、第１実施形態の立体映像表示装置の構成を図１に示す。第１実施形態の立体映像表示装置は、画素がマトリクス状に配置された表示画面を有する平面表示部（表示パネルともいう）１２およびこの平面表示部１２を駆動する駆動部１６を有する平面表示装置１０と、この平面表示部１２の前面に設けられ、光学的開口部を有し、平面表示部１２の画素からの光線を制御する光線制御子２０とを備えている。水平方向の視角４１および垂直方向の視角４２の範囲内において、観測者の眼の位置１００から光線制御子２０を介して平面表示部１２から射出される光線を観察することにより、光線制御子２０の前面および背面に立体像を観察することが可能となる。なお、光学的開口部とは、光線制御子がスリットである場合は物理的な開口部であり、レンチキュラーシートの場合は各シリンドカルレンズである。この場合、水平方向４１にのみ視差があり視距離に応じて画像が変わるが、垂直方向４２には視差がないために、観察位置によらず一定の映像が視認される。なお、焦点距離の調整のために平面表示部１２と光線制御子２０との間にスペーサが設けられることもある。また、光線制御子２０としては、例えばレンチキュラーシートであって、各シリンドリカルレンズの屈折率が外部からの制御信号により可変となる構成を有していてもよい。この場合、光線制御素子２０を構成するレンズの屈折率を制御することにより、立体映像または２次元映像を表示することが可能となる。
【００１２】
平面表示部１２は、表示画面内に位置が定められた画素が平面的にマトリクス状に配置されているものであれば、直視型や投影型の液晶表示装置、プラズマ表示装置、電界放出型表示装置、または有機ＥＬ表示装置などの表示パネルであってもよい。また、駆動部１６は、平面表示部１２に表示データを送って平面表示部１２の画素に上記表示データを割り当て、立体映像表示装置によって立体映像が表示されるように駆動する。この駆動部１６は、平面表示部１２と一体となってもよいし、平面表示部１２の外に設けられていてもよい。
【００１３】
本実施形態においては、駆動部１６は、図１に示すように、映像生成部１６ａと、輝度制御部１６ｂとを備えている。映像生成部１６ａは、外部から入力された映像信号から、平面表示装置１０によって表示される映像が立体映像であるか２次元映像であるかに応じた映像を生成する。なお、映像生成部１６ａは、動画像や、例えばＪＰＥＧ(Joint Photographic Experts Group)などの静止画画像なども生成可能である。輝度制御部１６ｂは、映像生成部１６ａによって生成された映像の輝度を制御する。この輝度の制御については、後述する。
【００１４】
また、第１実施形態の立体映像表示装置においては、光線制御子２０の光学的開口部の延在する方向を、平面表示部１２の表示画面の縦方向（列方向）に対して斜めに傾けた構成となっている。例えば、光線制御子２０が、複数のシリンドカルレンズ２１からなるレンチキュラーシート２０ａである場合の斜視図を図２（ａ）に示し、スリット２０ｂである場合の斜視図を図２（ｂ）に示す。図２（ａ）、２（ｂ）において、Ｐｓは光線制御子２０の光学的開口部のピッチを示す。図２（ｂ）においてＰｐはスリットの開口部のサイズを示している。
【００１５】
第１実施形態の立体映像表示装置においては、図３に示すように、平面表示部１２の表示画面は、第１画素１３ａと第２画素１３ｂとが縦方向および横方向（行方向）に交互に配列された構成を有している。なお、図３においては、光線制御素子２０としてレンチキュラーシート２０ａを用いた例を示している。第１および第２画素１３ａ、１３ｂの第１具体例を図４（ａ）、４（ｂ）にそれぞれ示す。
【００１６】
第１具体例の第１画素１３ａは、図４（ａ）に示すように、Ｒ（赤）、Ｇ（緑）、Ｂ（青）のサブ画素１４Ｒａ、１４Ｇｂ、１４Ｂａを有しており、各サブ画素は横方向の長さが縦方向の長さよりも短い構成を有しており、表示画面の縦方向に面積が同じ２つの部分に分割されている。例えば、サブ画素１４Ｒａは、上部の第１サブ画素部分１４Ｒ１ａと、下部の第２サブ画素部分１４Ｒ２ａとを備え、第１および第２サブ画素部分１４Ｒ１ａ、１４Ｒ２ａの面積は同じとなっている。第１サブ画素部分１４Ｒ１ａは左下部に切り欠きを有し、第２サブ画素部分１４Ｒ２ａは右上部に切り欠きを有している。
【００１７】
また、サブ画素１４Ｇｂは、上部の第１サブ画素部分１４Ｇ１ｂと、下部の第２サブ画素部分１４Ｇ２ｂとを備え、第１サブ画素部分１４Ｇ１ｂと第２サブ画素部分１４ｇ２ｂの面積は同じとなっている。第１サブ画素部分１４Ｇ１ｂは右下部に切り欠きを有し、第２サブ画素部分１４Ｇ２ｂは左上部に切り欠きを有している。
【００１８】
サブ画素１４Ｂａは、上部の第１サブ画素部分１４Ｂ１ａと、下部の第２サブ画素部分１４Ｂ２ａとを備え、第１サブ画素部分１４Ｂ１ａと第２サブ画素部分１４Ｂ２ａの面積は同じとなっている。第１サブ画素部分１４Ｂ１ａは左下部に切り欠きを有し、第２サブ画素部分１４Ｂ２ａは右上部に切り欠きを有している。
【００１９】
すなわち、第１具体例の第１画素１３ａは、Ｒ、Ｇのサブ画素において切り欠きの箇所が逆となっており、Ｇ、Ｂのサブ画素において切り欠きの箇所が逆となっている。すなわち、Ｒ、Ｂのサブ画素において切り欠きの箇所は同じとなっている。
【００２０】
第１具体例の第２画素１３ｂは、図４（ｂ）に示すように、Ｒ（赤）、Ｇ（緑）、Ｂ（青）のサブ画素１４Ｒｂ、１４Ｇａ、１４Ｂｂを有しており、各サブ画素は画面の縦方向に面積が同じ２つの部分に分割されている。例えば、サブ画素１４Ｒｂは、上部の第１サブ画素部分１４Ｒ１ｂと、下部の第２サブ画素部分１４Ｒ２ｂとを備え、第１サブ画素部分１４Ｒ１ｂと第２サブ画素部分１４Ｒ２ｂの面積が同じとなっている。第１サブ画素部分１４Ｒ１ｂは右下部に切り欠きを有し、第２サブ画素部分１４Ｒ２ｂは左上部に切り欠きを有している。
【００２１】
また、サブ画素１４Ｇａは、上部の第１サブ画素部分１４Ｇ１ａと、下部の第２サブ画素部分１４Ｇ２ａとを備え、第１サブ画素部分１４Ｇ１ａと第２サブ画素部分１４Ｇ２ａの面積は同じとなっている。第１サブ画素部分１４Ｇ１ａは左下部に切り欠きを有し、第２サブ画素部分１４Ｇ２ａは右上部に切り欠きを有している。
【００２２】
サブ画素１４Ｂｂは、上部の第１サブ画素部分１４Ｂ１ｂと、下部の第２サブ画素部分１４Ｂ２ｂとを備え、第１サブ画素部分１４Ｂ１ｂと第２サブ画素部分１４Ｂ２ｂの面積は同じとなっている。第１サブ画素部分１４Ｂ１ｂは右下部に切り欠きを有し、第２サブ画素部分１４Ｂ２ｂは左上部に切り欠きを有している。
【００２３】
また、第１具体例の第１画素１３ａと同様に、第１具体例の第２画素１３ｂは、Ｒ、Ｇのサブ画素において切り欠きの箇所が逆となっており、Ｇ、Ｂのサブ画素において切り欠きの箇所が逆となっている。すなわち、Ｒ、Ｂのサブ画素において切り欠きの箇所は同じとなっている。しかし、第１具体例の第１画素１３ａの一つの色のサブ画素は、第１具体例の第２画素１３ｂの対応する色のサブ画素とは切り欠きの位置が異なっている。したがって、第１具体例の第１および第２画素１３ａ、１３ｂは、面積が同じであるが、形状が異なっている。
【００２４】
第１および第２画素１３ａ、１３ｂの第２具体例を図５（ａ）、５（ｂ）にそれぞれ示す。第２具体例の第１画素１３ａは、図５（ａ）に示すように、Ｒ（赤）、Ｇ（緑）、Ｂ（青）のサブ画素１４Ｒａ、１４Ｇａ、１４Ｂａを有している。また、第２具体例の第２画素１３ｂは、図５（ｂ）に示すように、Ｒ（赤）、Ｇ（緑）、Ｂ（青）のサブ画素１４Ｒｂ、１４Ｇｂ、１４Ｂｂを有している。第２具体例の第１画素１３ａのＲ、Ｇ、Ｂのサブ画素の切り欠きの位置は同じであり、第２具体例の第２画素１３ｂのＲ、Ｇ、Ｂのサブ画素の切り欠きの位置は同じである。しかし、第２具体例の第１画素１３ａの一つの色のサブ画素は、第２具体例の第２画素１３ｂの対応する色のサブ画素とは切り欠きの位置が異なっている。第１具体例と同様に、第２具体例においても、第２具体例の第１および第２画素１３ａ、１３ｂは、面積が同じであるが、形状が異なっている。
【００２５】
なお、本実施形態においては、表示画面は、面積が同じで形状の異なる２種類の画素１３ａ、１３ｂが交互に配置された構成を有していた。このような構成とすることにより、パネルが液晶パネルの場合には、視野角を広くすることができるという利点がある。また、表示画面が、面積が同じで形状の異なる３種類以上の画素が交互に配置された構成であってもよい。この場合もパネルが液晶パネルの場合には、視野角を広くすることができる。
【００２６】
このような表示画面を有する平面表示部１２の縦方向に対して、光線制御素子２０の長手方向を傾けて配置した立体映像表示装置において、立体映像を表示した場合には、同一の色を表示画面に表示した場合に、色の濃淡が発生してしまう。そこで、第１実施形態においては、輝度制御部１６ｂによって、隣接する第１画素１３ａと第２画素１３ｂに対して、映像生成部１６ａから生成された映像が同じ色の映像信号であっても、輝度制御部１６ｂによって異なる輝度を与えるように制御する。第１画素１３ａおよび第２画素１３ｂそれぞれに対する輝度の変化量は画素の液晶パネル上の位置や、入力される映像信号の色の諧調によって異なる。また、光線制御子の屈折率が変化可能である場合は、立体映像表示を行う場合のみ第１画素１３ａおよび第２画素１３ｂの輝度を変化させ、２次元映像表示の場合には、第１画素１３ａおよび第２画素１３ｂの輝度は変化させない。
【００２７】
輝度を変化させる具体的な方法は、以下のように行う。
１）輝度を制御する際に、画面全体での輝度の総量は変化させないようにする。例えば、
ａ）第１画素１３ａと第２画素１３ｂの輝度の平均値が、輝度を変化させる前の画面と同じ輝度になるように制御する。したがって、第１画素１３ａの輝度を上げた場合は第２画素１３ｂの輝度を下げて制御前と制御後の輝度の平均値が同じとなるようにする。
【００２８】
ｂ）表示パネル上の座標や色の諧調によって輝度の制御量を変える場合、隣接する画素との輝度の平均値が元の輝度の平均値と一致するよう操作する。
【００２９】
なお、いずれも輝度の変化量は、画素の液晶パネル上の位置や、入力される映像信号の色の諧調によって異なる。
【００３０】
２）色の階調に応じて輝度を制御する場合は、以下のａ）、ｂ）の２つの内のいずれかの方法で行う。
ａ）中間の諧調において、第１画素と第２画素間の輝度の差が最も大きくなるように制御する。このためには、輝度制御部によって輝度の変更が行われる前の画素の輝度は以下のように設定される。例えば、図４または図５に示すように、１つの画素が６つのサブ画素部分から構成されている場合には、入力された映像信号の階調が最大階調Ｉｍａｘの半分であるときに、１つの画素のうちの例えば上方の３つのサブ画素部分を最大階調Ｉｍａｘとし、下方の３つのサブ画素部分を最小階調（＝０）とする。そして、入力された映像信号の階調がＩｍａｘ／２よりも大きい場合は、１つの画素のうち上方の３つのサブ画素部分を最大階調Ｉｍａｘとし、下方の３つのサブ画素部分の階調は、この階調と最大階調Ｉｍａｘとの平均が入力された映像信号の階調となるように設定される。すなわち、この場合、下方の３つのサブ画素部分の階調は、入力された映像信号の階調の２倍から最大階調Ｉｍａｘを減算した値となる。
【００３１】
また、入力された映像信号の階調がＩｍａｘ／２よりも小さい場合は、１つの画素のうち下方の３つのサブ画素部分は最小階調とし、上方の３つのサブ画素部分の階調は、この階調と最大階調Ｉｍａｘとの平均が入力された映像信号の階調となるように設定される。すなわち、この場合、上方の３つのサブ画素部分の階調は、入力された映像信号の階調の２倍となる。
【００３２】
このように輝度制御部によって画素の輝度を変化する前の画素の輝度を設定し、輝度制御部による輝度の変化は、入力された映像信号の階調に応じて図６に示す特性を満たすように行う。図６において、横軸は入力された映像信号の階調であり、第１画素１３ａの階調をＡ、第２画素１３ｂの階調をＢとするとき、縦軸は｜Ａ−Ｂ｜を示す。この図６からわかるように、入力された映像信号の階調が最大階調Ｉｍａｘの半分±αのときに、変化後の第１画素と第２画素の輝度の差が最大となる。ここでαはマージンを表し、αがゼロでないとき、第1画素と第2画素の差が最大となるのはＩｍａｘの半分から前後した値となる。
【００３３】
なお、図６に示す特性の最大値は、Ｉｍａｘ以下の値となる。そして、輝度制御部によって変化される前の第１画素および第２画素の輝度の平均値と、変化後の第１画素および第２画素の輝度の平均値が同じとなるように、輝度制御部によって制御される。また、輝度の変化量は、視聴者が色むらを視認できない範囲とし、この調整は、一般に立体映像表示装置の出荷前に行われる。なお、輝度の変化量は、出荷後に視聴者がリモートコントローラを介して調整できるようにしてもよい。
【００３４】
ｂ）最大の諧調において、第１画素と第２画素間の輝度の差が最も大きくなるように制御する。このためには、輝度制御部によって輝度の変更が行われる前の画素の輝度は以下のように設定される。例えば、図４または図５に示すように、１つの画素が６つのサブ画素部分から構成されている場合には、６つのサブ画素の全てが入力された映像信号の階調となるように設定される。
【００３５】
このように輝度制御部によって画素の輝度を変化する前の画素の輝度を設定し、輝度制御部による輝度の変化は、入力された映像信号の階調に応じて図７に示す特性を満たすように行う。図７において、横軸は入力された映像信号の階調であり、第１画素１３ａの階調をＡ、第２画素１３ｂの階調をＢとするとき、縦軸は｜Ａ−Ｂ｜を示す。この図７からわかるように、入力された映像信号の階調が最大階調Ｉｍａｘのときに、輝度が変化後の第１画素と第２画素の差が最大となる。なお、図７に示す特性の最大値は、Ｉｍａｘ以下の値となる。そして、輝度制御部によって変化される前の第１画素および第２画素の輝度の平均値と、変化後の第１画素および第２画素の輝度の平均値が同じとなるように、輝度制御部によって制御される。また、輝度の変化量は、視聴者が色むらを視認できない範囲とし、この調整は、一般に立体映像表示装置の出荷前に行われる。なお、輝度の変化量は、出荷後に視聴者がリモートコントローラを介して調整できるようにしてもよい。
【００３６】
以上説明したように、第１実施形態によれば、入力された映像信号の階調が同じであっても、面積が同じで形状の異なる隣接する画素に異なる輝度を与えるように、制御することにより、色むらの影響を低減することができ、表示品質の良好な立体画像を表示することができる。
【００３７】
なお、第１実施形態においては、面積が同じで形状の異なる画素の例として、図４または図５に示す例を挙げたが、これらに限られるものではない。
【００３８】
（第２実施形態）
第２実施形態の立体映像表示装置を図８（ａ）、８（ｂ）を参照して説明する。この第２実施形態の立体映像表示装置は、第１実施形態の立体映像表示装置においては、光線制御子２０の光学的開口部の延在する方向は、平面表示部１２の表示画面の縦方向（列方向）に対して斜めに傾けた構成となっていた。しかし、この第２実施形態の立体映像表示装置においては、光線制御子２０の光学的開口部の延在する方向は、平面表示部１２の表示画面の縦方向（列方向）に対して平行となるように構成されている以外は、第１実施形態と同じ構成となっている。この第２実施形態の立体映像表示装置に用いられる光線制御子２０の例を図８（ａ）、８（ｂ）に示す。例えば、光線制御子２０が、複数のシリンドカルレンズ２１からなるレンチキュラーシート２０ａである場合の斜視図を図８（ａ）に示し、スリット２０ｂである場合の斜視図を図８（ｂ）に示す。図８（ａ）、８（ｂ）において、Ｐｓは光線制御子２０の光学的開口部のピッチを示す。図８（ｂ）においてＰｐはスリットの開口部のサイズを示している。
【００３９】
この第２実施形態の立体映像表示装置も、第１実施形態と同様に、色むらの影響を低減することができ、表示品質の良好な立体画像を表示することができる。
【００４０】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４１】
１０  平面表示装置
１２  平面表示部（表示パネル）
１６  駆動部
１６ａ  映像生成部
１６ｂ  輝度制御部
２０  光線制御子
１００  視聴者
【要約】
【課題】色むらの影響を低減することのできる裸眼方式の立体映像表示装置および表示方法を提供する。
【解決手段】本実施形態の立体映像表示装置は、面積が同一で形状の異なる第１および第２画素が行方向および列方向に交互に配列された表示面を有する平面表示装置と、前記平面表示装置の前記表示面の前面に配置され、前記平面表示装置からの光線の方向を制御する光線制御子と、入力された映像信号から立体像表示用映像または２次元像表示用映像を生成する映像生成部と、前記映像生成部によって生成された映像を表示する、隣接する前記第１および第２画素の輝度を変化させ、変化前後における前記第１および第２画素の平均輝度が同じとなるように制御する輝度制御部と、を備えている。
【選択図】図３【図１】
0005149438.tif 000002
【図２】
0005149438.tif 000003
【図３】
0005149438.tif 000004
【図４】
0005149438.tif 000005
【図５】
0005149438.tif 000006
【図６】
0005149438.tif 000007
【図７】
0005149438.tif 000008
【図８】
0005149438.tif 000009